(57)【特許請求の範囲】
【請求項１】
ファクシミリ送信するための原稿の有無を検出する原稿有無検出部と、ファクシミリ送信するための宛先データをキー入力するためのキー入力部と、待機状態において前記原稿有無検出部より前記原稿有りを示す検出信号を受け、その後に前記宛先データが入力すると該原稿に対し送信制御を開始する制御部とを備えるファクシミリ装置であって、
前記制御部は、
前記待機状態において前記原稿有無検出部より前記検出信号を受けずに前記宛先データが入力すると、該宛先データをメモリに格納する手段と、
前記メモリに前記宛先データを格納後に前記原稿有無検出部より前記検出信号を受けると、前記原稿に対し送信制御を開始する手段と、
相手側ファクシミリ装置から応答信号が無いときに、前記原稿の抜き取りにより前記原稿有無検出部からの検出信号が停止し、一定時間が経過すると前記待機状態に戻す手段と、
を含むことを特徴とするファクシミリ装置。
【発明の詳細な説明】
【０００１】
【発明の属する技術分野】
本発明は、原稿の送受信を行うファクシミリ装置に関し、特に、その送信処理に関する。
【０００２】
【従来の技術】
従来のファクシミリ装置の使用形態において、利用者が所望の原稿を送信しようとした場合、先ず、送りたい原稿をファクシミリ装置の読取部にセットし、次に、予め登録されている宛先をファクシミリ装置の登録宛先一覧表の中から選択して、ファクシミリ装置にキーインし、自動発呼させ、送信動作に移行する。または、ファクシミリ装置若しくはその装置に付帯している電話機より相手に発呼し、送信する手動送信形態をとっていた。
【０００３】
【発明が解決しようとする課題】
ところで、上記従来のファクシミリ装置では、利用者は、原稿送信を行う場合、先ず原稿をセットしてからダイヤリングといった送信操作を行う。ここで、通常は、送信しようとする原稿に、送信相手先のファクシミリ番号等が書かれていることが多く、従って、原稿をセットしてしまうと、相手先のファクシミリ番号が分からなくなってしまうことが発生する。このため、利用者は、相手先のファクシミリ番号を予めメモしておいたり、送信原稿の裏側（あるいは表側）のセット状態でも見える位置にメモし、それらのメモを見ながら、ファクシミリ番号の入力を行うといった操作を行っていた。しかしながら、このような操作は、利用者にとって煩わしい操作であると共に、メモする番号を誤ってしまい、誤ダイヤルを招く恐れもあった。
【０００４】
このような点から、送信時の操作性を向上させ、かつ、誤ダイヤル等のミスオペレーションを防止することのできるファクシミリ装置の実現が望まれていた。
【０００５】
【課題を解決するための手段】
本発明は、前述の課題を解決するために次の構成を採用する。
〈請求項１の構成〉
ファクシミリ送信するための原稿の有無を検出する原稿有無検出部と、ファクシミリ送信するための宛先データをキー入力するためのキー入力部と、待機状態において前記原稿有無検出部より前記原稿有りを示す検出信号を受け、その後に前記宛先データが入力すると該原稿に対し送信制御を開始する制御部とを備えるファクシミリ装置であって、前記制御部は、前記待機状態において前記原稿有無検出部より前記検出信号を受けずに前記宛先データが入力すると、該宛先データをメモリに格納する手段と、前記メモリに前記宛先データを格納後に前記原稿有無検出部より前記検出信号を受けると、前記原稿に対し送信制御を開始する手段と、相手側ファクシミリ装置から応答信号が無いときに、前記原稿の抜き取りにより前記原稿有無検出部からの検出信号が停止し、一定時間が経過すると前記待機状態に戻す手段と、を含むことを特徴とするファクシミリ装置。
〈請求項１の説明〉
原稿の読取部に原稿がセットされていなくとも、入力された相手の電話番号といった宛先入力を受け付ける。そして、宛先入力を受け付け、発呼した後に、原稿の有無を判別して、原稿有りの場合は、ファクシミリ装置としてＩＴＵ−Ｔ勧告において送出することが決められているＣＮＧ（Calling Tone：呼出音）信号の送出を行う。また、原稿無しを確認した場合は、ＣＮＧ信号の送出を行わず、所定の時間回線閉塞を行う。
従って、相手の電話番号を入力する場合でも、原稿に書かれている相手先の電話番号を見ながら入力することができる。また、ＣＮＧ信号の送出を行った後、相手からのファクシミリの応答信号を受ける前に原稿を抜き取ると、一定時間経過後に待機状態となる。
【０００７】
【発明の実施の形態】
以下、本発明の実施の形態を図面を用いて詳細に説明する。
［構成］
図１は本発明のファクシミリ装置の具体例を示す構成図である。
図の装置は、オペパネル部１、原稿有無検出部２、制御部３、電話番号蓄積用メモリ４、Ｉ／Ｏインタフェース部５、モデム部６、回線制御部７、回線８からなる。
【０００８】
オペパネル部１は、数値キー（テンキー）や各種の機能キーからなるキー入力部と、液晶表示部とを備え、例えば、数値キーを用いて発呼用電話番号を入力する機能を有している。原稿有無検出部２は、ファクシミリ装置に原稿がセットされているかどうかを検出する機能を有している。制御部３は、ファクシミリ装置として全ての制御を司るＣＰＵや主メモリ等を備えており、原稿有無検出部２で、原稿の無状態が検出され、かつ、オぺパネル部１で発呼用電話番号といった宛先入力がなされた場合、この宛先入力の情報を保持し、所定時間経過後、再度、原稿有無検出部２で原稿の状態を検知し、この時点で原稿有りであった場合に原稿を送信する機能を有している。電話番号蓄積用メモリ４は、オペパネル部１より入力された発呼電話番号情報を格納するためのメモリである。
【０００９】
Ｉ／Ｏインタフェース部５は、制御部３以外のオペパネル部１から回線制御部７までの制御を行うものである。モデム部６は、送信目的の自動発呼時に送出しなければならないＣＮＧ信号の送出や、相手から送出されたファクシミリ信号を検出する際に使用するものである。更に、回線制御部７は、回線８への信号送出や、回線８からの信号受信を行う際に、回線８との制御を行う機能を有している。また、回線８は、アナログ通信回線やディジタル通信回線といった通信回線である。
【００１０】
［動作］
図２は、上記ファクシミリ装置の動作を示すフローチャートである。
尚、ここで、宛先入力の手段としては、▲１▼数値キー（テンキー）の入力、▲２▼短縮ダイヤルキーの入力、▲３▼ワンタッチダイヤルキーの入力、といったものがあるが、本具体例では、説明を簡単にするため、▲１▼数値キー（テンキー）の入力を例として説明する。尚、ここで、▲１▼数値キーの入力とは、５６７８−１２３４  といった電話番号を直接数値入力する方法であり、▲２▼短縮ダイヤルキーの入力とは、短縮キー＋予め登録された２桁の数値といった組合せによる入力方法であり、▲３▼ワンタッチダイヤルキーの入力とは、そのキーを押下することで、予め登録された電話番号が入力される方法である。
【００１１】
ファクシミリ装置の電源投入が行われると、先ず、待機状態となる（ステップＳ１）。即ち、この待機状態では、オペパネル部１における表示部は、カレンダー表示等を行い、原稿有無検出部２は原稿待ち、制御部３は入力待ちの状態となる。この状態で原稿のセットの有無を原稿有無検出部２によって検出し、また、原稿がセットされていない状態で、数値キーが押下されるか、その押下待ちを行う（ステップＳ３）。即ち、この点が本具体例の特徴となる部分であり、ファクシミリ装置の読取部に原稿が予めセットされていなくとも、宛先入力を受け付ける点が従来とは異なる部分である。
【００１２】
ステップＳ２において、原稿有無検出部２が原稿を検出した場合（ステップＳ２）、制御部３は、宛先の電話番号の入力待ち状態となる（ステップＳ４）。即ち、この入力待ち状態では、制御部３は、オペパネル部１の表示部に、「ｓｅｌｅｃｔ  ｌａｃａｔｉｏｎ  」といった宛先設定を促す表示を行う。
【００１３】
一方、ステップＳ２において、原稿有無検出部２が原稿を検出せず、この状態で、数値キーが押下された場合（ステップＳ３）、制御部３は、入力された電話番号を電話番号蓄積用メモリ４に格納する（ステップＳ５）。そして、オペパネル部１より、スタートキーが押下されるのを待つ（ステップＳ６）。尚、この待ち時間は、送信者がスタートキーを押下するのに十分な時間であり、通常は６０秒程度の設定となっている。ステップＳ６において、スタートキーが押下された場合、制御部３は、回線を閉塞し（ステップＳ７）、ダイヤリング動作、即ち、電話番号蓄積用メモリ４に格納した宛先電話番号をダイヤルする（ステップＳ８）。
【００１４】
その後、原稿がセットされているか否かをチェックする（ステップＳ９）。原稿がセットされていない場合は、例えば６０秒程度といった、送信者が原稿をセットするのに十分な時間、セット待ちを行う。このステップＳ９において、原稿のセットが確認された場合は、ＣＮＧ信号を送出し（ステップＳ１０）、更に、相手のファクシミリ信号の受信待ちを行い（ステップＳ１１）、相手のファクシミリ信号が受信されたら、ファクシミリの送信制御を行う。尚、この送信制御については、通常のファクシミリ装置の動作であるため、ここでの説明は省略する。
【００１５】
ステップＳ１１において、相手のファクシミリ番号が受信されない場合は、ステップＳ１２で、原稿がセットされているかをチェックし、原稿がセットされている場合は、そのままステップＳ１１に戻って相手ファクシミリ番号の受信待ちを行う。即ち、これは、規格により決められている時間であり、通常は４０秒程度の応答待ちを行うようになっている。一方、ステップＳ１２において、原稿がセットされていなかった場合、即ち、一旦セットした原稿を抜き取った場合は、ＣＮＧ信号の送出を停止し（ステップＳ１３）、ステップＳ９に戻る。例えば、ステップＳ１１において、相手側の応答がファクシミリ信号ではなく、人間の音声等であった場合、原稿を抜き取ることによって、ＣＮＧ信号の送出は停止され、通話状態となる。
【００１６】
また、図中の＊１、＊２、＊３で示した処理は、一定時間で初期化される（待機状態に戻る）よう設定されている。従って、ファクシミリの送信制御に移る前に、途中で送信を中止したい場合は、原稿を抜き取るだけで待機状態に戻すことができる。例えば、ステップＳ３で数値キーより宛先電話番号を入力し、またステップＳ９において、一旦原稿をセットしても、相手ファクシミリ信号を受信する前に原稿を抜き取ることによって、ステップＳ９に戻り、そして一定時間後に待機状態に戻ることができる。
【００１７】
【発明の効果】
以上説明したように、本発明のファクシミリ装置によれば、原稿をセットしていない状態でも宛先入力を受け付けるようにしたので、例えば、宛先電話番号が原稿そのものに書かれており、原稿を見なければ送信する際に困る場合でも、原稿そのものを見ながら宛先入力を行うことができ、従って、操作性が向上すると共に、誤ダイヤル等のミスオペレーションの防止もできる。
【図面の簡単な説明】
【図１】本発明のファクシミリ装置の構成を示すブロック図である。
【図２】本発明のファクシミリ装置の動作を示すフローチャートである。
【符号の説明】
１  オペパネル部
２  原稿有無検出部
３  制御部
４  電話番号蓄積用メモリ
【図１】
0003615287.tif 000002
【図２】
0003615287.tif 000003